(57)【要約】【課題】観察視野中にペンタプリズムまたはペンタミラーの稜線が現れ難いファインダーを提供する。【解決手段】  フォーカシングスクリーン１１に形成された観察像をペンタプリズム２１およびルーペ３１を介して観察するファインダーであって、前記フォーカシングスクリーン１１の中心１１ｃを通る光軸Ｏ上の光線が、ペンタプリズム２１のダハ面２３ａ、２３ｂの境界である稜線２３ｃに入射しないようにフォーカシングスクリーン１１に対してペンタプリズム２１をシフトさせた。【選択図】    図１
2006195158.tif 000002
【特許請求の範囲】
【請求項１】
フォーカシングスクリーンに形成された観察像をペンタプリズムまたはペンタミラーおよびルーペを介して観察するファインダーであって、
前記フォーカシングスクリーンの中心を通る光軸上の光線が、ペンタプリズムまたはペンタミラーのダハ部の稜線に入射しないように前記フォーカシングスクリーンに対する前記稜線の位置をシフトさせたこと、を特徴とするファインダー。
【請求項２】
請求項１記載のファインダーにおいて、前記ペンタプリズムまたはペンタミラーは、前記フォーカシングスクリーンの中心を通った光軸上の光線が、前記ダハ部の一方のダハ面に入射し、反射して他方のダハ面に入射するように稜線の位置が設定されているファインダー。
【請求項３】
請求項２記載のファインダーにおいて、前記ペンタプリズムまたはペンタミラーのダハ部は、前記フォーカシングスクリーンの中心を通った光軸上の光線が最初に入射する方のダハ面が他方のダハ面よりも前記シフト方向とは反対方向に長く広く形成され、他方のダハ面が前記シフト方向に短く狭く形成されているファインダー。
【請求項４】
請求項１乃至３のいずれか一項記載のファインダーにおいて、前記ルーペを介して前記フォーカシングスクリーンの中心を観察する観察者の視軸が前記ダハ部の稜線を通らないように、前記ルーペの位置が設定されているファインダー。
【請求項５】
請求項１乃至４のいずれか一項記載のファインダーにおいて、前記フォーカシングスクリーンの中心を通る光軸上の光線は、前記ルーペの光軸を通るファインダー。
【請求項６】
請求項１乃至５記載のファインダーにおいて、前記ペンタプリズムまたはペンタミラーは、前記ダハ部の稜線で反射する観察像光が、前記ルーペを介して観察する観察者の眼球の盲点に入射するように形成されているファインダー。
【発明の詳細な説明】
【技術分野】
【０００１】
本発明は、ペンタプリズムまたはペンタミラーを使用した光学機器のファインダーに関する。
【背景技術】
【０００２】
光学機器のファインダー、例えば一眼レフカメラのファインダーには、ペンタプリズムあるいはペンタミラーが使用されている（特許文献１）。この種のファインダーは、フォーカシングスクリーン（ピント板）に投影された被写体像を、ペンタプリズムおよびルーペ（アイピース、接眼レンズ）を介して正立実像として観察する構成である。
【特許文献１】特開2000-221568号公報
【発明の開示】
【発明が解決しようとする課題】
【０００３】
ペンタプリズムのダハ部は、被観察物であるフォーカシングスクリーンに比較的近いところに位置するため、使用者の眼のピント調節の過程で、ダハ部の稜線（一対のダハ面の境界線）付近にピントが合って、稜線が目立つことがある。このダハ部の稜線は光軸近傍に位置し、フォーカシングスクリーンの中心を縦断する位置に存在する。そのため、特にファインダー視野の中心を注視することが多いピント調節またはスポット測光等をしている場合において、ペンタプリズムの稜線が目立ちやすかった。
【０００４】
本発明は、かかる従来のペンタプリズムまたはペンタミラーを使用した光学機器のファインダーの問題に鑑みてなされたものであって、観察視野中にペンタプリズムまたはペンタミラーの稜線が現れ難いファインダーを提供することを目的とする。
【課題を解決するための手段】
【０００５】
本発明は、ペンタプリズムの稜線がファインダー視野の中心の被観察像と重ならなければ目立たなくなることに着目してなされたものである。さらに本発明は、人間の眼球の盲点が、水晶体の光軸からややずれた位置にあることに着目し、稜線が盲点に入射すれば、稜線にピントが合っても稜線が目立ち難くなることを見い出すことによりなされたものである。
【０００６】
この目的を達成する本発明は、フォーカシングスクリーンに形成された観察像をペンタプリズムまたはペンタミラーおよびルーペを介して観察するファインダーであって、前記フォーカシングスクリーンの中心を通る光軸上の光線が、ペンタプリズムまたはペンタミラーのダハ部の稜線に入射しないように前記フォーカシングスクリーンに対する前記稜線の位置をシフトさせたこと、に特徴を有する。
【０００７】
前記ペンタプリズムまたはペンタミラーは、前記フォーカシングスクリーンの中心を通った光軸上の光線が、前記ダハ部の一方のダハ面に入射し、反射して他方のダハ面に入射するように稜線の位置を設定する。
好ましい実施形態では、前記フォーカシングスクリーンの中心を通った光軸上の光線が最初に入射するダハ面を他方のダハ面よりもシフト方向とは反対方向に長く広く形成し、他方のダハ面をシフト方向に短く狭く形成する。
【０００８】
実施形態では、前記ルーペを介して前記フォーカシングスクリーンの中心を観察する観察者の視軸が前記ダハ部の稜線を通らないように、前記ルーペの位置を設定する。
この場合、前記フォーカシングスクリーンの中心を通る光軸上の光線は、前記ルーペの光軸を通るように設定する。
【０００９】
さらに好ましい実施形態では、前記ペンタプリズムまたはペンタミラーを、前記ダハ部の稜線で反射する観察像光が前記ルーペを介して観察する観察者の眼球の盲点に入射するように形成する。
【発明の効果】
【００１０】
撮影レンズと接眼レンズを結ぶ光軸がペンタプリズムまたはペンタミラーのダハ部の稜線を通らないので、ファインダー視野の中心から稜線が外れ、ファインダーを介しての観察中、特にファインダー視野の中心を注視するピント調整等においても稜線が目立つことがない。
【発明を実施するための最良の形態】
【００１１】
以下添付図面を参照して本発明の好ましい実施形態について説明する。図１は、本発明を一眼レフカメラに搭載されるファインダーに適用した実施形態の斜視図でる。図示実施形態ではペンタプリズムを示したが、本発明はペンタミラーにも適用できる。
【００１２】
図示しないが、周知の通り撮影レンズから入射し、クイックリターンミラーで反射した被写体光束は、フォーカシングスクリーン（ピント板）１１上に被写体像を形成する。フォーカシングスクリーン１１上に形成された被写体像光は、フォーカシングスクリーン１１を透過し、ペンタプリズム２１に入射端面２２から入射し、第１、第２の反射面であるダハ面２３ａ、２３ｂまたはダハ面２３ａ、２３ｂ間の稜線２３ｃで反射し、さらに第３の反射面２４で反射して、射出面２５からペンタプリズム２１の外に射出する。その後、射出面２５近傍に配置されたルーペ（アイピース、接眼レンズ）３１を透過する。撮影者は、このルーペ３１を介して、フォーカシングスクリーン１１上の被写体像を観察する。
【００１３】
図５に示した従来のファインダーは、フォーカシングスクリーン１１１の中心を通る撮影レンズの光軸Ｏ上を通る光線が、ペンタプリズム１２１のダハ面１２３ａ、１２３ｂの境界である稜線１２３ｃで反射し、ルーペ１３１の光軸Ｏ131を通って射出するように構成していた。
【００１４】
これに対して本実施形態では、フォーカシングスクリーン１１の中心を通る撮影レンズの光軸Ｏ上の光線が、ペンタプリズム２１の稜線２３ｃを通らずに、一方のダハ面２３ａに入射して他方のダハ面２３ｂに向かって反射し、他方ダハ面２３ｂで反射してさらに第３の反射面２４で反射して、ルーペ３１の光軸Ｏ31を通るように、ペンタプリズム２１をシフトさせたことに特徴を有する。
【００１５】
ペンタプリズム２１のシフト方向と光路との関係を、図２および図３に示した。図２は右眼用、図３は左眼用をファインダー上方から見て示してある。
右眼用のファインダーでは、ペンタプリズム２１をフォーカシングスクリーン１１の中心１１ｃに対して左方向（図２では下方向）にシフトさせてある。これにより、フォーカシングスクリーン１１の中心１１ｃを通る光軸Ｏ上の光線が、入射端面２２から入射してダハ面２３ａで反射し、ダハ面２３ｂに向かって進み、ダハ面２３ｂで第３の反射面２４方向に進み、第３の反射面２４で反射して射出面２５から射出してルーペ３１を通り、観察者の右眼４１Ｒに入射する。
【００１６】
一方、左眼用のファインダーでは、ペンタプリズム２１をフォーカシングスクリーン１１の中心１１ｃに対して左方向にシフトさせてある。これにより、フォーカシングスクリーン１１の中心１１ｃを通る光軸Ｏ上の光線が、入射端面２２から入射してダハ面２３ａで反射し、ダハ面２３ｂに向かって進み、ダハ面２３ｂで第３の反射面２４方向に進み、第３の反射面２４で反射して射出面２５から射出してルーペ３１を通り、観察者の左眼４１Ｌに入射する。
【００１７】
これらの実施形態において、右眼４１Ｒ、左眼４１Ｌの盲点４２Ｒ、４２Ｌにはそれぞれ、稜線２３ｃで反射した光線Ｌ２３ｃが入射する。したがって右眼４１Ｒ、左眼４１Ｌで観察している観察者には稜線２３ｃが見え難く、稜線２３ｃが気になることが無くなる。
【００１８】
これらの実施形態において、ペンタプリズム２１をフォーカシングスクリーン１１の長手方向（横方向）にシフトさせているので、従来のペンタプリズムの形状ではフォーカシングスクリーン１１上の全ての画像を観察できない場合がある。そこで本発明の実施例ではペンタプリズム２１を、その入射端面２２が、シフトさせた方向と反対側が広くなり、シフトさせた側が狭くなるように、フォーカシングスクリーン１１と入射端面２２とが略一致するように形成してある。つまり、フォーカシングスクリーン１１の有効画面の全領域の被写体像光が入射端面２２から入射し、ダハ面２３ａ、２３ｂ、第３の反射面２４で反射し、射出面２５から射出してルーペ３１に入射するように形成し、シフトさせている。
【００１９】
図４の（Ａ）には、従来のペンタプリズムをルーペ側から見た図を、図４の（Ｂ）、（Ｃ）、（Ｄ）、（Ｅ）には本実施形態である左眼用のペンタプリズムを示している。従来のペンタプリズムの場合は、フォーカシングスクリーン１１の中心１１ｃを通る光軸Ｏ上の光線は、稜線１２３ｃを含む平面内の光路を経て射出面１２５の射出点１２５ａから射出する。
【００２０】
これに対して本発明の実施例では、フォーカシングスクリーン１１の中心１１ｃを通る光軸Ｏ上の光線は、ダハ面２３ａで反射し、さらにダハ面２３ｂで前方に反射し、第３の反射面２４で反射して射出面２５の射出点２５ａから射出する。つまり、フォーカシングスクリーン１１の中心１１ｃを通る光軸Ｏ上の光線は、ダハ面２３ａ、２３ｂでの反射により横方向にシフトしている。
【００２１】
（Ｂ）に示した第１の実施例では、ダハ面２３ａ、２３ｂの成す角度は変えずに、ダハ部における最初の入射面であるダハ面２３ａをシフト方向とは逆に長く、広く形成し、他方のダハ面２３ｂをシフト方向に短く狭く形成してある。
（Ｃ）に示した第２の実施例では、光軸Ｏ上の光線がダハ面２３ａに入射する入射角が第１の実施例よりも大きくなるようにダハ面２３ａ、２３ｂの角度を設定してある。
（Ｄ）に示した第３の実施例では、光軸Ｏ上の光線がダハ面２３ａに入射する入射角が第１の実施例よりも小さくなるようにダハ面２３ａ、２３ｂの角度を設定してある。
第２、第３の実施例は、第１の実施例に比してペンタプリズム２１の体積を小さくできる。
（Ｅ）に示した第４の実施例では、第３の実施例において、第１の入射端面２２に対する稜線２３ｃの傾斜を大きく設定してある。
【００２２】
なお、図４は左目用のペンタプリズムであるが、右眼用のペンタプリズムは、図４の（Ｂ）乃至（Ｅ）に示した左眼用のペンタプリズムと左右対称に形成される。また、図示実施形態では一眼レフカメラに適用したが、ペンタプリズムまたはペンタミラーを使用するファインダー光学系全般に使用できる。
【図面の簡単な説明】
【００２３】
【図１】本発明を適用した一眼レフカメラ用のファインダーの実施形態を示す斜視図である。
【図２】同実施形態のファインダーを、右眼による観察用に適した構成とした実施例を示す展開図である。
【図３】同実施形態のファインダーを、左眼による観察用に適した構成とした実施例を示す展開図である。
【図４】（Ａ）は従来のペンタプリズムを射出面側から示した図、（Ｂ）は本発明のペンタプリズムの第１の実施例を射出面側から示した図、（Ｃ）は同第２の実施例を射出面側から示した図、（Ｄ）は同第３の実施例を射出面側から示した図、（Ｅ）は同第４の実施例を射出面側から示した図である。
【図５】従来の一眼レフカメラ用のファインダーの光学要素を示す斜視図である。
【符号の説明】
【００２４】
１１  フォーカシングスクリーン
１１ｃ  中心
２１  ペンタプリズム
２２  入射端面
２３ａ  ２３ｂ  ダハ面
２３ｃ  稜線
２４  第３の反射面
２５  射出面
２５ａ  射出点
３１  ルーペ
４１Ｒ  右眼
４２Ｒ  盲点
４１Ｌ  左眼
４２Ｌ  盲点
【図１】
2006195158.tif 000003
【図２】
2006195158.tif 000004
【図３】
2006195158.tif 000005
【図４】
2006195158.tif 000006
【図５】
2006195158.tif 000007